(57)【要約】【課題】  デジタル回路ブロックとアナログ回路ブロックとの相互間のノイズや輻射の影響を可及的低減したアナログ・デジタル対応記録再生装置及び表示装置を提供する。【解決手段】  記録再生装置１の筐体２内に、アナログ放送を受信したアナログ信号を制御するアナログ回路ブロックを構成するメイン基板１０と、デジタル放送を受信したデジタル信号を制御するデジタル回路ブロックとを構成するＩＰ変換回路基板１１とを備え、メイン基板１０とＩＰ変換回路基板１１とを平行に配置すると共にこれらの端部側同士を一体的に取り付ける。この取り付けた接続部１２の近傍にメイン基板１０とＩＰ変換回路基板１１との間を間仕切りするシールド付き基板１３を設ける。これにより、メイン基板１０とＩＰ変換回路基板１１同士のノイズ干渉及び輻射の影響を抑える。【選択図】    図１
2006210849.tif 000002
【特許請求の範囲】
【請求項１】
アナログ放送及びデジタル放送からの信号を受信可能なアナログ・デジタル対応記録再生装置において、この記録再生装置の筐体内に、アナログ放送を受信したアナログ信号を制御するアナログ回路ブロックを構成するメイン基板と、デジタル放送を受信したデジタル信号を制御するデジタル回路ブロックとを構成するサブ基板とを備え、前記メイン基板とサブ基板とを平行して配置すると共にこれらメイン基板とサブ基板との端部側同士を一体的に取り付け、この取り付けた接続部の近傍に前記アナログ回路ブロックとデジタル回路ブロックとの間を間仕切りするシールド付き基板を設けたことを特徴とするアナログ・デジタル対応記録再生装置。
【請求項２】
前記メイン基板とサブ基板を水平に配置し、前記シールド付き基板を垂直に配置したことを特徴とする請求項１記載のアナログ・デジタル対応記録再生装置。
【請求項３】
前記メイン基板に一体的に設けた接続ピン又はコネクタに、前記シールド付き基板に一体的に設けたコネクタ又は接続ピンを差し込んで取り付けたことを特徴とする請求項１又は２記載のアナログ・デジタル対応記録再生装置。
【請求項４】
アナログ放送及びデジタル放送からの信号を受信可能なアナログ・デジタル対応表示装置において、この表示装置の筐体内に、アナログ放送を受信したアナログ信号を制御するアナログ回路ブロックを構成するメイン基板と、デジタル放送を受信したデジタル信号を制御するデジタル回路ブロックとを構成するサブ基板とを備え、前記メイン基板とサブ基板とを平行して配置すると共にこれらメイン基板とサブ基板との端部側同士を一体的に取り付け、この取り付けた接続部の近傍に前記アナログ回路ブロックとデジタル回路ブロックとの間を間仕切りするシールド付き基板を設けたことを特徴とするアナログ・デジタル対応表示装置。
【請求項５】
前記メイン基板とサブ基板を水平に配置し、前記シールド付き基板を垂直に配置したことを特徴とする請求項４記載のアナログ・デジタル対応表示装置。
【請求項６】
前記メイン基板に一体的に設けた接続ピン又はコネクタに、前記シールド付き基板に一体的に設けたコネクタ又は接続ピンを差し込んで取り付けたことを特徴とする請求項４又は５記載のアナログ・デジタル対応表示装置。
【発明の詳細な説明】
【技術分野】
【０００１】
本発明は、従来から利用されているアナログ放送に加え、デジタル放送の信号入力可能なアナログ・デジタル対応記録再生装置及びアナログ・デジタル対応表示装置に関し、特に、こうした装置に備えたアナログ回路ブロックを構成するメイン基板とこのメイン基板に取り付けられるデジタル回路ブロックを構成するサブ基板とが、互いにノイズ干渉の影響を受けないよう配置したアナログ・デジタル対応記録再生装置及び表示装置に関する。
【背景技術】
【０００２】
従来から、基板の共通化や小型化を実現するために、単独の装置内にデジタル回路ブロックやアナログ回路ブロックを混在して配置する場合、デジタル回路ブロックとアナログ回路ブロックとのそれぞれを別々の基板に配置したり、或いは水平に配置したアナログ回路ブロックを構成するメイン基板に対し、メイン基板上に垂直に立設してデジタル回路ブロックを構成する立ち基板を組み付け、同一の向きにこれらの基板が平行に重なった状態で配置されないようにすることにより、各基板が相互にノイズ干渉の影響を受けないようにした構造のものが用いられている。
【０００３】
ところで、近年の記録再生装置などは、購買者の要望により益々その筐体が小型化されてきており、小型化を図ることで筐体内の余裕スペースが小さくなってしまうことから、仮にデジタル回路ブロックとアナログ回路ブロックを１枚の基板上に配置するとなると、これらデジタル回路ブロックとアナログ回路ブロックは、小型化された装置内に近接した状態で配置しなければならず、近接して配置するとなると相互にノイズ干渉を起こす懸念がある。また、構造上デジタル回路ブロックの基板の占有スペースを大きく採らざるを得ない際には、デジタル回路ブロックの基板上方の空間を利用して、この基板上に別基板を配置する対策が採られているが、これらの基板が平行に重なるように配置された際には、相互間でノイズ干渉の影響を受けることから、デジタル回路ブロックの基板とアナログ回路ブロックの基板とを近接させた状態で配置するには限界があった。
【０００４】
また、こうした従来技術に関連するものとして、特許文献１にはメイン基板上に複数のサブ基板を上下方向に平行に配列した複数のサブ基板を実装した多重実装装置が開示されており、また、特許文献２には平行に配置したメイン基板に対し垂直にサブ基板を取り付けた構造のものが開示されている。
【０００５】
【特許文献１】特開平５−１３１３４号公報
【特許文献２】特開２００１−２６６９７７号公報
【発明の開示】
【発明が解決しようとする課題】
【０００６】
しかし、上記特許文献１は、メイン基板上に複数のサブ基板を平行に配列実装し、メイン基板の部品実装率を向上したに過ぎず、各基板が平行に重なるように複数配列されているので、これらの基板がノイズ干渉する虞がある。また、特許文献２においては、メイン基板に固定具によりサブ基板を挟み込んで保持する構造が開示されているが、デジタル回路ブロックとアナログ回路ブロックとの混在する複数の基板を装置内に配置し、ブロック同士の相互のノイズ干渉を防止する構造については開示も示唆もされているものではない。
【０００７】
本発明は、前述した背景技術の実状を鑑みてなされたものであり、デジタル回路ブロックとアナログ回路ブロックとの相互間のノイズや輻射の影響を可及的低減したアナログ・デジタル対応記録再生装置及び表示装置を提供することを目的とする。
【課題を解決するための手段】
【０００８】
本発明の請求項１のアナログ・デジタル対応記録再生装置は、アナログ放送及びデジタル放送からの信号を受信可能なアナログ・デジタル対応記録再生装置において、この記録再生装置の筐体内に、アナログ放送を受信したアナログ信号を制御するアナログ回路ブロックを構成するメイン基板と、デジタル放送を受信したデジタル信号を制御するデジタル回路ブロックとを構成するサブ基板とを備え、前記メイン基板とサブ基板とを平行して配置すると共にこれらメイン基板とサブ基板との端部側同士を一体的に取り付け、この取り付けた接続部の近傍に前記アナログ回路ブロックとデジタル回路ブロックとの間を間仕切りするシールド付き基板を設けたことを特徴とする。
【０００９】
請求項１により、アナログ回路ブロックとデジタル回路ブロックとの相互間ノイズ干渉及び輻射をシールド付き基板で軽減することが可能となる。
【００１０】
本発明の請求項２のアナログ・デジタル対応記録再生装置は、請求項１記載のアナログ・デジタル対応記録再生装置において、前記メイン基板とサブ基板を水平に配置し、前記シールド付き基板を垂直に配置したことを特徴とする。
【００１１】
請求項２により、水平に配置されたメイン基板のアナログ回路ブロックとサブ基板のデジタル回路ブロック同士のノイズ干渉及び輻射をシールド付き基板で垂直に間仕切りすることで軽減することが可能となる。
【００１２】
本発明の請求項３のアナログ・デジタル対応記録再生装置は、請求項１又２記載のアナログ・デジタル対応記録再生装置において、前記メイン基板に一体的に設けた接続ピン又はコネクタに、前記シールド付き基板に一体的に設けたコネクタ又は接続ピンを差し込んで取り付けたことを特徴とする。
【００１３】
請求項３により、コネクタと接続ピンとを差し込んで取り付けることができるから、一般的に用いられているネジ止めなどのように時間をかけることなく、メイン基板から簡単にシールド付き基板を着脱できる。
【００１４】
本発明の請求項４のアナログ・デジタル対応表示装置は、アナログ放送及びデジタル放送からの信号を受信可能なアナログ・デジタル対応表示装置において、この表示装置の筐体内に、アナログ放送を受信したアナログ信号を制御するアナログ回路ブロックを構成するメイン基板と、デジタル放送を受信したデジタル信号を制御するデジタル回路ブロックとを構成するサブ基板とを備え、前記メイン基板とサブ基板とを平行して配置すると共にこれらメイン基板とサブ基板との端部側同士を一体的に取り付け、この取り付けた接続部の近傍に前記アナログ回路ブロックとデジタル回路ブロックとの間を間仕切りするシールド付き基板を設けたことを特徴とする。
【００１５】
請求項４により、アナログ回路ブロックとデジタル回路ブロックとの相互間のノイズ干渉及び輻射をシールド付き基板で軽減することが可能となる。
【００１６】
本発明の請求項５のアナログ・デジタル対応表示装置は、請求項４記載のアナログ・デジタル対応表示装置において、前記メイン基板とサブ基板を水平に配置し、前記シールド付き基板を垂直に配置したことを特徴とする。
【００１７】
請求項５により、水平に配置されたメイン基板のアナログ回路ブロックとサブ基板のデジタル回路ブロック同士のノイズ干渉及び輻射をシールド付き基板で垂直に間仕切りすることで軽減することが可能となる。
【００１８】
本発明の請求項６のアナログ・デジタル対応表示装置は、請求項４又は５記載のアナログ・デジタル対応表示装置において、前記メイン基板に一体的に設けた接続ピン又はコネクタに、前記シールド付き基板に一体的に設けたコネクタ又は接続ピンを差し込んで取り付けたことを特徴とする。
【００１９】
請求項６により、コネクタと接続ピンとを差し込んで取り付けることができるから、一般的に用いられているネジ止めなどのように時間をかけることなく、メイン基板から簡単にシールド付き基板を着脱できる。
【発明の効果】
【００２０】
本発明の請求項１のアナログ・デジタル対応記録再生装置によれば、アナログ放送及びデジタル放送からの信号を受信可能なアナログ・デジタル対応記録再生装置において、この記録再生装置の筐体内に、アナログ放送を受信したアナログ信号を制御するアナログ回路ブロックを構成するメイン基板と、デジタル放送を受信したデジタル信号を制御するデジタル回路ブロックとを構成するサブ基板とを備え、前記メイン基板とサブ基板とを平行して配置すると共にこれらメイン基板とサブ基板との端部側同士を一体的に取り付け、この取り付けた接続部の近傍にアナログ回路ブロックとデジタル回路ブロックとの間を間仕切りするシールド付き基板を設けたので、デジタル回路ブロックとアナログ回路ブロックとの相互間のノイズや輻射の影響を可及的低減することができる。
【００２１】
本発明の請求項２のアナログ・デジタル対応記録再生装置によれば、請求項１記載の記載において、前記メイン基板とサブ基板を水平に配置し、前記シールド付き基板を垂直に配置したものであり、ノイズ干渉と輻射の影響を抑えることができる。
【００２２】
本発明の請求項３のアナログ・デジタル対応記録再生装置によれば、請求項１又は２の記載において、前記メイン基板に一体的に設けた接続ピン又はコネクタに、前記シールド付き基板に一体的に設けたコネクタ又は接続ピンを差し込んで取り付けたものであり、ノイズや輻射を抑えるシールド付き基板を、メイン基板に差し込んで簡単に取り付けることが可能となる。
【００２３】
本発明の請求項４のアナログ・デジタル対応表示装置によれば、アナログ放送及びデジタル放送からの信号を受信可能なアナログ・デジタル対応表示装置において、この表示装置の筐体内に、アナログ放送を受信したアナログ信号を制御するアナログ回路ブロックを構成するメイン基板と、デジタル放送を受信したデジタル信号を制御するデジタル回路ブロックとを構成するサブ基板とを備え、前記メイン基板とサブ基板とを平行して配置すると共にこれらメイン基板とサブ基板との端部側同士を一体的に取り付け、この取り付けた接続部の近傍にアナログ回路ブロックとデジタル回路ブロックとの間を間仕切りするシールド付き基板を設けたので、デジタル回路ブロックとアナログ回路ブロックとの相互間のノイズや輻射の影響を可及的低減することができる。
【００２４】
本発明の請求項５のアナログ・デジタル対応表示装置によれば、請求項４の記載において、前記メイン基板とサブ基板を水平に配置し、前記シールド付き基板を垂直に配置したものであり、ノイズ干渉と輻射の影響を抑えることができる。
【００２５】
本発明の請求項６のアナログ・デジタル対応表示装置によれば、請求項４又は５の記載において、前記メイン基板に一体的に設けた接続ピン又はコネクタに、前記シールド付き基板に一体的に設けたコネクタ又は接続ピンを差し込んで取り付けたものであり、ノイズや輻射を抑えるシールド付き基板をメイン基板に差し込んで簡単に取り付けることが可能となる。
【発明を実施するための最良の形態】
【００２６】
以下、本発明を実施するための最良の形態としての実施例を図１〜図２に基づき以下に説明する。もちろん、本発明は、その発明の趣旨に反しない範囲で、実施例において説明した以外の構成のものに対しても容易に適用可能なことは説明を要するまでもない。
【００２７】
図１は光ディスクを記録再生可能な記録再生装置を上方から視た状態を示す説明図、図２は記録再生装置の要部を示す分解斜視図である。
【００２８】
記録再生装置１はアナログ放送及びデジタル放送からの信号を表示装置への表示制御、及び、記録し再生などを行う制御をするものであり、その全体はほぼ箱型の筐体２により構成されているもので、筐体２内のその一方側（図１に示す右側）の前側には光ディスクを記録再生可能な光ディスク装置３がネジ止めなどにより装着されており、その後方には後述するＩＰ変換回路基板が配置されている。
【００２９】
また、前記一方側の反対に位置する他方側（図１に示す左側）には、アナログ放送から受信した信号を制御するアナログ回路ブロックを構成するメイン基板１０が水平に配置されていて、このメイン基板１０の側方には、アナログ放送から受信した信号を制御するデジタル回路ブロックを構成するサブ基板としてのＩＰ変換回路基板１１が水平に配置され、メイン基板１０とＩＰ変換回路基板１１とは平行関係を有しているが、これらの全体が相互に対向して配置されるのではなく、ＩＰ変換回路基板１１がメイン基板１０の横方向の外側に飛び出すように取り付けられており、このＩＰ変換回路基板１１の飛び出した部分はデジタル回路ブロックを構成する部分となっていて、メイン基板１０とＩＰ変換回路基板１１との概ね全体同士を区分けして配置することにより、デジタル信号を記録、再生、表示の制御を行う場合、筐体２内に配置されたメイン基板１０とＩＰ変換回路基板１１との相互のノイズ干渉や輻射を、デジタル回路ブロックとアナログ回路ブロックの距離を離して、筐体２においてブロック毎に区切りを設けることで、アナログ回路ブロックのメインマイコン、アナログ映像音声処理回路、ＶＴＲとの複合機の場合、ＶＴＲ再生ヘッドなどへの干渉を軽減できるようになっている。なお、本実施例においては、デジタル回路ブロックを構成するＩＰ変換回路基板１１を水平にして、アナログ回路ブロックを構成するメイン基板１０に装着したことにより、筐体２内の左右でアナログ回路ブロックとデジタル回路ブロックに分離ができ、例えば、これらの間である中央にシールド付き基板１３で仕切りを入れれば、ほぼ完全に左右で分離できることでもノイズ除去が行なえる。
【００３０】
また、本実施例においては、図２に示すように、メイン基板１０の上面に突出した接続ピン１０ａ，１０ｂが設けられており、接続ピン１０ａ，１０ｂと、ＩＰ変換回路基板１１とシールド付き基板１３のそれぞれに一体的に設けられたコネクタ１４ａ，１４ｂとを差し込んで、メイン基板１０にＩＰ変換回路基板１１及びシールド付き基板１３を容易に固定できるようになっており、接続ピン１０ａとコネクタ１４ａにより固定接続されるメイン基板１０とＩＰ変換回路基板１１との接続部１２の近傍に、ＨＤＭＩ（High-Definition Multimedia Interface）のシールド付き基板１３を垂直に立設し、アナログ回路ブロックとデジタル回路ブロックとをシールド付き基板１３で区切って配置することで、アナログ回路ブロックとデジタル回路ブロックとの相互間のノイズ干渉や輻射の影響を防止することが可能となっている。なお、前記接続部１２の近傍に立設されたシールド付き基板１３は、図２に示すように、メイン基板１０の上面の接続ピン１０ｂとコネクタ１４ｂを差し込んで固定することができるので、つまり、メイン基板１０に、ＩＰ変換回路基板１１とシールド付き基板１３内の基板１６とをいわゆるピンコンパチで簡単に一体的に固定できる。なお、コネクタ１４ａ，１４ｂには接続ピン１０ａ，１０ｂと抜き差し可能な図示しない接続孔が形成されているので、メイン基板１０に対して、ＩＰ変換回路基板１１とシールド付き基板１３とを容易に着脱することが可能である。なお、シールド付き基板１３だけでなく、例えば、デジタル回路ブロックのＩＰ変換回路基板（サブ基板）１１も、図示しないデジタルチューナー専用の基板やデジタル入出力専用基板などの他のデジタル基板と自由にピンコンパチで交換することも可能であり、他機種との基板の共通化を図ることで、コストダウンを図ることが可能となる。
【００３１】
また、前記シールド付き基板１３に構成されるノイズ干渉や輻射を防止するシールド１５は、図２に示すように、ノイズや輻射を防止するシールド１５が基板１６の全体を覆った状態で組み付けたものである。
【００３２】
なお、本実施例においては、メイン基板１０に一体的に設けた接続ピン１０ａ，１０ｂと、ＩＰ変換回路基板１１とシールド付き基板１３のコネクタ１４ａ，１４ｂとを差し込むことで、各基板１０，１１，１３同士の取り付けを行っているが、これに限定するものではなく、ＩＰ変換回路基板１１及びシールド付き基板１３のそれぞれに接続ピン１０ａ，１０ｂを一体的に設けると共に、これらに対応するコネクタ１４ａ，１４ｂをメイン基板１０に一体的に設けることで、メイン基板１０にＩＰ変換回路基板１１及びシールド付き基板１３を一体的に取り付け可能としてもよい。
【００３３】
また、記録再生装置１は、例えばＤＶＤ装置、ＨＤＤ装置、Ｄ−ＶＩＤＥＯ装置などであり、同様の構造のものであれば、映像を表示可能なテレビジョン、液晶テレビ、ＰＤＰ装置、及びプロジェクションテレビなどの映像を表示するアナログ・デジタル対応表示装置に適用可能なことは言うまでもなく、また、これらを組み合わせた複合機に適用するなど、種々の変形実施も可能である。
【００３４】
以上のように本発明に係るアナログ・デジタル対応記録再生装置又アナログ・デジタル対応表示装置は、記録再生装置１や表示装置の筐体２内に、アナログ放送を受信したアナログ信号を制御するアナログ回路ブロックを構成するメイン基板１０と、デジタル放送を受信したデジタル信号を制御するデジタル回路ブロックを構成するサブ基板たるＩＰ変換回路基板１１とを備え、メイン基板１０とＩＰ変換回路基板１１とを平行して配置すると共にこれらメイン基板１０とＩＰ変換回路基板１１との端部側同士を一体的に取り付け、この取り付けた接続部１２の近傍にメイン基板１０のアナログ回路ブロックとＩＰ変換回路基板１１のデジタル回路ブロックとの間を間仕切りする基板１６にノイズ干渉や輻射を防止するシールド１５を覆ったシールド付き基板１３を設けたので、このシールド付き基板１３で、アナログ回路ブロックとデジタル回路ブロック同士の相互間のノイズ干渉及び輻射を軽減することが可能となる。
【００３５】
さらに、メイン基板１０とＩＰ変換回路基板を筐体２内に水平に配置し、シールド付き基板１３を垂直に配置したので、水平に配置されたメイン基板１０のアナログ回路ブロックとＩＰ変換回路基板１１のデジタル回路ブロック同士をシールド付き基板１３で垂直に間仕切りすることで、従来のように複数の基板を対向して配置せずに済むので、ノイズ干渉及び輻射を軽減することが可能となり、ノイズ干渉と輻射の影響を抑えることができる。
【００３６】
さらに、メイン基板１０に一体的に設けた接続ピン１０ａ，１０ｂ又はコネクタ１４ａ，１４ｂに、シールド付き基板１３に一体的に設けたコネクタ１４ａ，１４ｂ又は接続ピン１０ａ，１０ｂを差し込んで取り付けたので、一般的に用いられているネジ止めなどのように時間をかけることなく簡単に抜き差しして着脱でき、ノイズや輻射を抑えるシールド付き基板１３をメイン基板１０に取り付ける作業を簡単に行うことができる。
【図面の簡単な説明】
【００３７】
【図１】本実施例における記録再生装置を上方から視た状態を示す説明図である。
【図２】同上、記録再生装置の要部を示す分解斜視図である。
【符号の説明】
【００３８】
１  記録再生装置
２  筐体
１０  メイン基板
１０ｂ  接続ピン
１１  ＩＰ変換回路基板（サブ基板）
１２  接続部
１３  シールド付き基板
１４ｂ  コネクタ
【図１】
2006210849.tif 000003
【図２】
2006210849.tif 000004